【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
販促提供を双方向ＴＶサービスの複数の加入者に配信する一つの方法であって、この方法は：
ａ）製品またはサービスについての一つの有効な販促提供を創成すること；
ｂ）前記複数の加入者に対し彼らの双方向ＴＶサービスに関連の彼らの確立された複数の電子連絡アドレスに則って前記有効な販促提供を配信すること、なお、前記販促提供は前記複数の加入者の一人以上によって前記提供を交換することなく電子的に受諾されうること；
ｃ）前記有効な販促提供の電子的受諾の上で、前記交換することなく受諾された販促提供を前記の受諾する加入者と関連する一つのクーポン・データベース中に提示すること；
およびｄ）前記加入者の支払システムを前記製品またはサービスについての支払いのために提示することにより、前記販促提供の交換が行われるように、前記受諾する加入者の支払システムへの前記ク−ポン・データベースの関連付けを確立することまたは維持すること；を含む方法。
【請求項２】
前記販促提供の受諾が、前記加入者の双方向ＴＶ口座と関連する一つの支払システムの前記受諾する加入者による一つの確立を条件として行われる請求項１の方法。
【請求項３】
前記販促提供が一つの加入双方向ＴＶチャンネルを介して配信される請求項２の方法。
【請求項４】
前記販促提供は、交換されると、前記消費者支払システム口座計算書の中で一つの前記販促提供交換に対する貸方記入として適用され、前記消費者が前記品目を購入したときに全購入高に対して適用され、その他の場合には前記消費者に対する別個の貸方記入、あるいは支払いとしてもたらされる、請求項３の方法。
【請求項５】
前記確立・維持は、さらに、前記一つ以上の加入者クーポン・データベースとマーケッタ・サイト、あるいはマッチング・エージェント・サイトの前記一つ以上の加入者支払システムとの関連付けを確立すること又は維持することを含む、請求項３の方法。
【請求項６】
前記支払システムが次のものからなるグループから選択される請求項１の方法：複数のクレジット・カード、複数のデビット・カード、複数の電子的支払口座、複数の消費者請求書作成システム、複数の携帯電話ベース電子的支払システム、および複数のＰＤＡベース電子的通信システム。
【請求項７】
前記有効な販促提供は、前記加入者のうちの少なくとも幾人かに対して、彼らの地理的所在に応じて行われる、請求項１の方法。
【請求項８】
前記確立・維持は、さらに、前記一つ以上の加入者クーポン・データベースとマーケッタ・サイト、あるいはマッチング・エージェント・サイトの前記一つ以上の加入者支払システムとの関連付けを確立すること又は維持することを含む、請求項１の方法。
【請求項９】
ある複数の提供が複数の加入者になされる複数の時機が、複数の加入者の複数のクーポン・データベースと関連する複数の加入者の記憶された複数の好みによるものである、あるいは複数のアドバタイザの複数の好みによるものである請求項１の方法。
【請求項１０】
いくらか以上の販促提供の複数の価値が時間と共に減少する請求項１の方法。
【請求項１１】
前記複数の価値が前記複数の提供が配信された前記複数の時機に関連する時間と共に減少する、あるいは、前記複数の提供が受諾された前記複数の時機に関連する時間と共に減少する、請求項１０の方法。
【請求項１２】
販促提供を双方向ＴＶサービスの複数の加入者に配信する一つの方法であって、この方法は：
ａ）製品またはサービスについての一つの有効な販促提供を創成すること；
ｂ）前記加入者の各々に一つのクーポン・データベースを確立すること；
ｃ）前記加入者の各々に一つの支払システムを登録すること、なお、各々の支払システムは、対応する加入者の双方向ＴＶ口座と関連付けられる；
ｄ）前記複数の加入者の一人以上に対し彼らの双方向ＴＶサービスに関連の彼らの確立された複数の電子連絡アドレスに則って前記有効な販促提供を配信すること、なお、前記販促提供は、前記複数の加入者の一人以上が彼の支払システムを登録したら、前記複数の加入者の一人以上によって前記提供を交換することなく電子的に受諾されうること；
ｅ）前記有効な販促提供の電子的受諾の上で、前記交換することなく受諾された販促提供を前記一人以上の受諾する加入者と関連する一つのクーポン・データベース中に提示すること；
およびｆ）前記加入者の支払システムを前記製品またはサービスについての支払いのために提示することにより、前記販促提供の交換が行われるように、前記受諾する加入者の支払システムへの前記ク−ポン・データベースの関連付けを確立することまたは維持すること；を含む方法。
【請求項１３】
前記販促提供は、交換されると、前記消費者支払システム口座計算書の中で一つの前記販促提供交換に対する貸方記入として適用され、前記消費者が前記品目を購入したときに全購入高に対して適用され、その他の場合には前記消費者に対する別個の貸方記入、あるいは支払いとしてもたらされる、請求項１２の方法。
【請求項１４】
前記支払システムが次のものからなるグループから選択される請求項１２の方法：複数のクレジット・カード、複数のデビット・カード、複数の電子的支払口座、複数の消費者請求書作成システム、複数の携帯電話ベース電子的支払システム、および複数のＰＤＡベース電子的通信システム。
【請求項１５】
前記有効な販促提供は、前記加入者のうちの少なくとも幾人かに対して、彼らの地理的所在に応じて行われる、請求項１２の方法。
【請求項１６】
いくらか以上の販促提供の複数の価値が時間と共に減少する請求項１２の方法。
【請求項１７】
販促提供を双方向ＴＶサービスの複数の加入者に配信する一つの方法であって、この方法は：
ａ）製品またはサービスについての一つの有効な販促提供を創成すること；
ｂ）前記加入者の各々に一つのクーポン・データベースを確立すること；
ｃ）前記加入者の各々に一つの支払システムを登録すること；
ｄ）前記複数の加入者の一人以上に対し、前記複数の加入者の地理的所在に応じて、また複数の加入者の複数のクーポン・データベースと関連する複数の加入者の記憶された複数の好みに応じた時機に、彼らの双方向ＴＶサービスに関連の彼らの確立された複数の電子連絡アドレスに則って前記有効な販促提供を配信すること、なお、前記販促提供は、前記複数の加入者の一人以上によって前記提供を交換することなく電子的に受諾されうること；
ｅ）前記有効な販促提供の電子的受諾の上で、前記交換することなく受諾された販促提供を前記一人以上の受諾する加入者と関連する一つのクーポン・データベース中に提示すること；
およびｆ）前記加入者の支払システムを前記製品またはサービスについての支払いのために提示することにより、前記販促提供の交換が行われるように、前記受諾する加入者の支払システムへの前記ク−ポン・データベースの関連付けを確立することまたは維持すること；を含む方法。
【請求項１８】
前記販促提供の受諾が、前記加入者の双方向ＴＶ口座と関連する一つの支払システムの前記受諾する加入者による一つの確立を条件として行われる請求項１７の方法。
【請求項１９】
前記支払システムが次のものからなるグループから選択される請求項１７の方法：複数のクレジット・カード、複数のデビット・カード、複数の電子的支払口座、複数の消費者請求書作成システム、複数の携帯電話ベース電子的支払システム、および複数のＰＤＡベース電子的通信システム。
【請求項２０】
ある複数の提供が複数の加入者になされる複数の時機が、複数の加入者の複数のクーポン・データベースと関連する複数の加入者の記憶された複数の好みによるものである、あるいは複数のアドバタイザの複数の好みによるものである請求項１７の方法。